(57)【要約】【課題】遊技球が入り易く且つその入球が見た目に分かり易いワープ通路を有し、ワープ入口の設計変更の自由度が高く且つワープ機能に優れるワープ通路を有するパチンコ遊技機を提供する。【解決手段】ワープ通路２０は、遊技盤４の盤面４ａに固定されて遊技球Ｐを導入する導入口２２ａを形成する導入口形成体２２と、この導入口形成体２２の後端側のワープ入口２４に連なる遊技盤４と直交状の第１通路２７とこの第１通路２７に屈曲状に連なりステージ２１に沿う第２通路２８とを有するワープ通路本体２３とを備え、遊技球Ｐが導入口形成体２２の導入口２２ａ、ワープ入口２４、第１，第２通路２７，２８の順に流れる。【選択図】図３
2010082072.tif 000002
【特許請求の範囲】
【請求項１】
遊技盤の盤面の中央領域に設けたセンタ役物と、このセンタ役物の下部に左右方向に延びるように形成され遊技球が転動するステージと、前記センタ役物よりも下方において盤面に設けた始動入賞口装置とを備えたパチンコ遊技機において、
前記センタ役物に遊技球をセンタ役物外周部からステージに導くワープ通路を設け、
前記ワープ通路は、
遊技盤の盤面に固定されて遊技球を導入する導入口を形成する導入口形成体と、
この導入口形成体の後端のワープ入口に連なる遊技盤と直交状の第１通路とこの第１通路に屈曲状に連なり前記ステージに沿う第２通路とを有するワープ通路本体とを備えた、
ことを特徴とするパチンコ遊技機。
【請求項２】
前記導入口形成体には遊技球をワープ入口に案内する球受け案内面が形成され、この球受け案内面は、センタ役物の外側から内側へ向かって下り傾斜に形成されたことを特徴とする請求項１に記載のパチンコ遊技機。
【請求項３】
前記ワープ入口は盤面と同一面をなす板状部材に形成され、
前記球受け案内面の下流側部分によって遊技球がワープ入口へ案内されることを特徴とする請求項１又は２に記載のパチンコ遊技機。
【請求項４】
前記導入口形成体の前面部に合成樹脂製の意匠板を設けたことを特徴とする請求項１〜３の何れかに記載のパチンコ遊技機。
【発明の詳細な説明】
【技術分野】
【０００１】
本発明はパチンコ遊技機に関し、特に、センタ役物に設けたワープ通路を改良したものである。
【背景技術】
【０００２】
従来から、パチンコ遊技機には、遊技盤の盤面の中央領域にセンタ役物を設け、センタ役物の下方には始動入賞口装置が設けられている。センタ役物において、中央部には液晶ディスプレイからなる画像表示器が装着され、センタ役物の外周部の左右側部の少なくとも一方にはワープ通路が設けられることが多い。センタ役物の下部には遊技球が転動するステージが設けられることが多い。ワープ通路のワープ入口は、一般に盤面の前方近傍においてセンタ役物外周部にセンタ役物の外側に向けて開口されている。遊技領域の上方から流下してきた遊技球がワープ入口に流入すると、ワープ通路を流下してワープ出口から出てステージ上に導かれ、ステージ上を左右方向に往復移動した後、始動入賞口装置の方へ落下する。
【０００３】
特許文献１には、センタ役物の内部の左側部と右側部に１対の縦筒状のワープ通路を設けた遊技機が開示されている。ワープ通路の上端部分と下端部分は傾斜状に形成され、ワープ通路のワープ入口はほぼ縦向きの穴に形成されている。センタ役物の外周部上端に形成された球入口から落下した遊技球は、ワープ球検出センサで検出されてからワープ入口の方へ流れる。
【特許文献１】特開２０００−２０２１４１号公報
【発明の開示】
【発明が解決しようとする課題】
【０００４】
従来の一般的なワープ通路においては、ワープ入口がセンタ役物外周部において外側へ向けて開口しており、ワープ入口へは、ワープ入口近傍に配置された障害釘によって遊技球が案内される。そのため、ワープ入口の位置を設計変更した場合、少なくともワープ入口近傍の障害釘の配置を変更する必要があるので設計の自由度を高めるのが難しい。
【０００５】
しかも、ワープ入口がセンタ役物外周部に外側へ向けて開口しているので、遊技者にとってワープ入口が見た目に分かりにくく、遊技球がワープ入口へ入る動作も目立たないため、遊技球がワープ通路に入った実感が得られにくく、面白みに欠ける。
さらに、ワープ通路がシンプルな形状であるため、ワープ入口に入ってからワープ出口から出るまでの通過時間が非常に短いため、ワープ通路のワープ機能が低くなる。
【０００６】
特許文献１のワープ通路においては、センタ役物の上端の球入口に球が入らないと、ワープ通路に入らないため、ワープ通路に球が入る確率が低くなりがちでワープ通路の利用効率が低下する。
本発明の目的は、遊技球が入り易く且つその入球が見た目に分かり易いワープ通路を有し、ワープ入口の設計変更の自由度が高く且つワープ機能に優れるワープ通路を有するパチンコ遊技機を提供することである。
【課題を解決するための手段】
【０００７】
上記目的を達成するために本発明は以下のような構成を採用した。尚、括弧内の参照符号は、本発明の理解を助けるために図面との対応関係の一例を示したものであり、本発明の範囲を何ら限定するものではない。
請求項１のパチンコ遊技機は、遊技盤(4)の盤面(4a)の中央領域に設けたセンタ役物(17)と、このセンタ役物(17)の下部に左右方向に延びるように形成され遊技球(P)が転動するステージ(21)と、センタ役物(17)よりも下方において盤面(4a)に設けた始動入賞口装置(11)とを備えたパチンコ遊技機(1)である。センタ役物(17)に遊技球(P)をセンタ役物(17)外周部からステージ(21)に導くワープ通路(20)を設け、ワープ通路(20)は、遊技盤(4)の盤面(4a)に固定されて遊技球(P)を導入する導入口(22a)を形成する導入口形成体(22)と、この導入口形成体(22)の後端のワープ入口(24)に連なる遊技盤(4)と直交状の第１通路(27)とこの第１通路(27)に屈曲状に連なりステージ(21)に沿う第２通路(28)とを有するワープ通路本体(23)とを備えたことを特徴としている。
【０００８】
このパチンコ遊技機(1)においては、遊技領域(5)の頂部から落下してきた遊技球(P)が導入口形成体(22)の導入口(22a)に導入され、その後端のワープ入口(24)からワープ通路本体(23)の第１通路(27)へ流入する。第１通路(27)に流入した遊技球(P)は、第２通路(28)を通ってステージ(21)に導かれ、ステージ(21)上を左右に転動した後、始動入賞口装置(11)の方へ落下する。
【０００９】
請求項２のパチンコ遊技機は、請求項１の発明において、導入口形成体(22)には遊技球(P)をワープ入口(24)に案内する球受け案内面(25)が形成され、この球受け案内面(25)は、センタ役物(17)の外側から内側へ向かって下り傾斜状に形成されたことを特徴としている。
【００１０】
請求項３のパチンコ遊技機は、請求項１又は２の発明において、ワープ入口(24)は盤面(4a)と同一面をなす板状部材(29)に形成され、球受け案内面(25)の下流側部分によって遊技球(P)がワープ入口(24)へ案内されることを特徴としている。
請求項４のパチンコ遊技機は、請求項１〜３の発明の何れかにおいて、導入口形成体(22)の前面部に合成樹脂製の意匠板(26)を設けたことを特徴としている。
【発明の効果】
【００１１】
請求項１の発明によれば、ワープ通路は、遊技盤の盤面に固定されて遊技球を導入する導入口を形成する導入口形成体と、この導入口形成体の後端のワープ入口に連なる遊技盤と直交状の第１通路とこの第１通路に屈曲状に連なりステージに沿う第２通路とを有するワープ通路本体とを備えたので、導入口形成体により遊技球をワープ入口に容易に入球させることができる。
【００１２】
また、遊技球が導入口形成体の後端のワープ入口に流入するので、ワープ入口の位置を設計変更する場合でも、ワープ入口近傍の釘の配置を殆ど変更することなくその設計変更に容易に対応することができる。また、遊技球が導入口形成体の導入口に入る様子を遊技者が視認できるので、面白みが増し遊技性に優れる。
しかも、ワープ通路本体には、ワープ入口に連なる遊技盤と直交状の第１通路と、この第１通路に屈曲状に連なる第２通路とが形成されているから、ワープ入口に入った球がワープ通路の出口に達するまでの通過時間が長くなり、ワープ機能が高くなる。
【００１３】
請求項２の発明によれば、導入口形成体には遊技球をワープ入口に案内する球受け案内面が形成され、この球受け案内面は、センタ役物の外側から内側へ向かって下り傾斜状に形成されたので、上方から落下して来る球が球受け案内面で受け止められ案内されて導入口へ入り、ワープ入口へ入り易くなるから、遊技性を高めることができる。
請求項３の発明によれば、ワープ入口は盤面と同一面をなす板状部材に形成され、球受け案内面の下流側部分によって遊技球がワープ入口の方へ案内されるので、請求項２と同様の効果を奏する。
【００１４】
請求項４の発明によれば、導入口形成体の前面部に合成樹脂製の意匠板を設けたので、遊技者にとってはワープ入口が見た目判り易く、遊技球がワープ通路へ入った実感を得ることができる。
【発明を実施するための最良の形態】
【００１５】
本実施例は、遊技盤の盤面の中央領域に設けたセンタ役物と、このセンタ役物の下部に形成されたステージと、センタ役物よりも下方において盤面に設けた始動入賞口装置とを備えたパチンコ遊技機に、本発明を適用した場合の一例である。
以下、本発明を実施するための最良の形態について実施例に基づいて説明する。
【実施例】
【００１６】
図１、図２に示すように、第１種パチンコ機に分類されるパチンコ遊技機１には、パチンコホールの島構造体に取り付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。この透明板３ｂを通して外部から遊技領域５を見ることができる。
【００１７】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００１８】
図２に示すように、鉛直な盤面４ａを形成する遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着されている。
【００１９】
遊技領域５の頂部に投入された遊技球Ｐは、遊技領域５の多数の障害釘１０や風車１０ａに当たって方向を変えながら落下して、始動入賞口装置１１の始動入賞口１１ａ、１１ｂ、ゲート１２、第１大入賞口装置１３の第１大入賞口１３ａ、第２大入賞口装置１４の第２大入賞口１４ａ、複数の普通入賞口１５の何れかに入賞して遊技領域５外へ排出されるか、最下端まで落下してアウト口１９から遊技領域５外へ排出される。
【００２０】
図２に示すように、始動入賞口装置１１は、センタ役物１７の下側に配置され、電チューと呼ばれる左右１対の開閉部材を備えた電動式チューリップ型役物を含む構成であり、ゲート式の上始動入賞口１１ａと、開閉式の下始動入賞口１１ｂ、下始動入賞口１１ｂを開閉する開閉部材１１ｃ、始動入賞口１１ａ、１１ｂに入賞した遊技球Ｐを検出する始動口ＳＷ、開閉部材１１ｃを開閉駆動する電チューソレノイドを有する。開閉部材１１ｃは、左右対称形状の２つの短い羽根部材が盤面４ａと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。尚、図２の点線で示す開閉部材１１ｃは閉塞位置にある。
【００２１】
ゲート１２はセンタ役物１７の左側に配置され、このゲート１２を通過した遊技球Ｐを検出するゲートＳＷが付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００２２】
第１大入賞口装置１３は、始動入賞口装置１１の下側に配置され、第１大入賞口１３ａ、第１大入賞口１３ａを開閉する開閉部材１３ｂ、第１大入賞口１３ａに入賞した遊技球Ｐを検出する第１大入賞口ＳＷ、開閉部材１３ｂを開閉駆動するソレノイドアクチュエータを有する。開閉部材１３ｂは、盤面４ａと平行方向の水平な軸回りに動作するように構成され、閉位置で第１大入賞口１３ａを閉塞して第１大入賞口１３ａへの遊技球Ｐの入賞を不可能にし、開位置で第１大入賞口１３ａへの遊技球Ｐの入賞を可能にする。尚、図２の開閉部材１３ｂは閉位置にある。
【００２３】
第２大入賞口装置１４は、センタ役物１７の外周部の左側中段部に配置され、第２大入賞口１４ａを開閉する開閉部材１４ｂ、第２大入賞口１４ａに入賞した遊技球Ｐを検出する第２大入賞口ＳＷ、開閉部材１４ｂを開閉駆動するソレノイドアクチュエータを有する。開閉部材１４ｂは、盤面４ａと直交する軸回りに動作するように構成され、閉位置で第２大入賞口１４ａへの遊技球Ｐの入賞を不可能にし、開位置で第２大入賞口１４ａへの遊技球Ｐの入賞を可能にする。第２大入賞口１４ａの前面はカバー体で覆われている。尚、図２の実線で示す開閉部材１４ｂは開位置にある。
【００２４】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａでは、始動入賞口１１ａ，１１ｂへの遊技球Ｐの入賞を契機に行われる抽選の結果が変動表示後に表示され、普通図柄表示器１８ｂでは、ゲート１２を遊技球Ｐが通過することを契機に行われる抽選の結果が変動表示後に表示される。
【００２５】
特別図柄表示器１８ａの変動表示中に、始動入賞口１１ａ，１１ｂに入賞した入賞球の個数であって、特別図柄の変動が未だ実行されていない保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未だ実行されていない保留数が最大で４つまで保留され、普通図柄保留ランプ１８ｄには、その普通図柄の保留数が表示される。
【００２６】
画像表示器１６は、液晶ディスプレイ（ＬＣＤ）からなり、枠状のセンタ役物１７の外周部の中央部に装着されている。この画像表示器１６には、例えば、図２に示すように３つの図柄列からなる演出図柄が表示される。この演出図柄は、リーチや大当りに対する遊技者の期待感を喚起するために演出目的で表示されるものである。遊技者は、この演出図柄の停止態様を見て特別図柄表示器の特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００２７】
また、画像表示器１６には、単に演出図柄が変動表示されるだけでなく、演出図柄変動表示中に、キャラクタ（例えば、人間や動物など）を用いて演出図柄の変動表示にストーリー性を持たせて遊技者のリーチや大当りへの期待感を高めるためのリーチ演出画像や大当り予告演出画像等の特定演出画像、また、遊技者に演出ボタン９の操作を求めるメッセージなどが表示される。
【００２８】
図２に示すように、遊技盤４の盤面４ａの中央部に略円形領域にセンタ役物１７が配置され、このセンタ役物１７を囲繞する外周部として、左側仕切り部１７ａと、下側仕切り部１７ｂと、右側仕切り部１７ｃと上側仕切り部１７ｄとが設けられている。センタ役物１７の左部の下部にはセンタ役物外周部からステージ２１へ遊技球Ｐを導くワープ通路２０が設けられ、下側仕切り部１７ｂにはワープ通路２０から流れ出た遊技球Ｐを始動入賞口装置１１側に導くステージ２１が設けられている。
【００２９】
図３〜図５に示すように、ワープ通路２０は、遊技領域５の頂部から落下してきた遊技球Ｐを導入する導入口２２ａを形成する導入口形成体２２と、この導入口形成体２２に連なるワープ通路本体２３とを備えている。導入口形成体２２は、盤面４ａと直交する方向に遊技球Ｐの直径よりも広い所定の幅を有し、盤面４ａから前方へ突出する状態に盤面４ａに固定されている。導入口形成体２２の導入口２２ａが左側仕切り部１７ａから外側方へ突出している。この導入口形成体２２は、例えば、光透過性の合成樹脂材料で箱状の中空体に構成されている。
【００３０】
導入口形成体２２の上面には、導入口２２ａに入った遊技球Ｐを後端のワープ入口２４に案内する球受け案内面２５が形成されている。図４，図５に示すように、球受け案内面２５は、センタ役物１７の外側から内側に向かって右下がり傾斜状に形成されている。
【００３１】
図４に示すように、導入口形成体２２の前面には、合成樹脂製の意匠板２６（装飾板）が設けられ、この意匠板２６には例えば、「ワープッ」の４文字が表示されている。なお、この意匠板２６の前面に「ワープッ」の４文字分の光透過窓を形成し、その内部の空洞部に１又は複数の発光ダイオード（ＬＥＤ）を設け、それら発光ダイオードを点灯又は点滅させることにより、前記の「ワープッ」の４文字を発光又は点滅させるように構成してもよい。
【００３２】
導入口形成体２２の後端には球受け案内面２５の下流側部分の後端に位置するワープ入口２４が形成されている。このワープ入口２４は、導入口形成体２２の後端に盤面４ａと同一面をなすように設けられた合成樹脂製の板状部材２９に、遊技球Ｐが通過可能な大きさに形成されている。板状部材２９の背面にはワープ通路本体２３が連結されている。このワープ入口２４はワープ通路本体２３の第１通路２７の前端の開口部と連通しており、球受け案内面２５で案内されて移動してきた遊技球Ｐが球受け案内面２５の下流側部分によってワープ入口２４へ案内され、ワープ入口２４を通ってワープ通路本体２３内の第１通路２７に流入する。
【００３３】
図３に示すように、ワープ通路本体２３は、ワープ入口２４に連なる第１通路２７と、第１通路２７と屈曲状に連なる第２通路２８とを備えている。ワープ通路本体２３は、光透過性の合成樹脂材料でＬ形に近い形状に形成された断面トンネル形の部材を主体にして構成され、この断面トンネル形の部材の下面をステージ２１で塞ぐことで、ワープ通路本体２３の内部に第１通路２７と第２通路２８とが形成されている。
【００３４】
第１通路２７は、導入口形成体２２の後端に連結され、盤面４ａと直交状に、導入口形成体２２の後端から後方（画像表示器１６側）に向かって少しだけ延びている。第１通路２７の前端はワープ入口２４と連通し、第１通路２７の後端は第２通路２８の左端に連通している。
【００３５】
第２通路２８は、第１通路２６の後端に屈曲状に連なってステージ２１の左端から中央部に沿って右下り傾斜状に形成されている。第２通路２８の左端は、第１通路２７の後端と屈曲状に連通し、第２通路２８の右端には、第１，第２通路２７，２８を通った遊技球Ｐをステージ２１に向けて排出するワープ出口２８ａが形成されている。
【００３６】
図２，図３に示すように、ステージ２１は、センタ役物１７の下側仕切り部１７ｂの上面に左右方向に延びるように形成され、第２通路２８のワープ出口２８ａから流れ出てきた遊技球Ｐが左右方向に転動する奥側のステージ２１ａと、奥側のステージ２１ａと同様に遊技球Ｐが左右方向に転動することが可能な手前側のステージ２１ｂとを備えた２段ステージ構造で形成されている。  
【００３７】
奥側のステージ２１ａの転動路は、左右から中央に向かって下り傾斜した緩曲面に形成されている。この奥側のステージ２１ａの転動路の曲面に沿って第２通路２８が形成されている。奥側のステージ２１ａの中央部には、手前側のステージ２１ｂに向けて下り傾斜した傾斜排出部が形成されている。手前側のステージ２１ｂの転動路も、左右から中央に向って下り傾斜した緩曲面に形成され、その中央部に前方に向けて下り傾斜の傾斜排出部が形成されている。
【００３８】
以上説明したパチンコ遊技機１の作用、効果について説明する。
遊技領域５の頂部に投入された遊技球Ｐは、多数の障害釘１０に当たって方向を変えながら落下していき、導入口形成体２２の導入口２２ａに導入されて球受け案内面２５によりワープ入口２４に案内される。ワープ入口２４を通過した遊技球Ｐは、第１，第２通路２７，２８を通ってワープ出口から奥側ステージ２１ａの転動路に流れ出る。
【００３９】
ワープ出口２８ａから出た遊技球Ｐは、奥側ステージ２１ａの転動路を左右に略一往復半程度転動した後、傾斜排出部を通過して手前側のステージ２１ｂの転動路を転動する。手前側のステージ２１ｂの転動路を転動した遊技球Ｐは、傾斜排出部の下り傾斜面上を転動して上側始動入賞口１１ａに向けて落下していく。
【００４０】
遊技領域５の頂部から落下してきた遊技球Ｐは、導入口形成体２２の球受け案内面２５で受け止められて導入口２２ａに入り、その導入口２２ａから球受け案内面２５で案内されてワープ入口２４に案内されるので、遊技球Ｐをワープ通路２０に容易に入球させることができ、遊技性が向上し、ワープ通路２０の利用率も高まる。
また、導入口形成体２２の後端にワープ入口２４を形成するため、ワープ入口２４の配置位置を設計変更する場合であっても、障害釘１０の配置を殆ど変更することなくその設計変更に容易に対応することができる。また、障害釘１０の配置に関係なく、盤面４ａから前方に突出した球受け案内面２５により、遊技球Ｐをワープ通路２０に導くことができるので、障害釘１０の配置の自由度を高めることができる。
【００４１】
導入口形成体２２の球受け案内面２５は、センタ役物１７の外側から内側へ向かって下り傾斜状に形成され、球受け案内面２５の下流側部分によって遊技球Ｐがワープ入口２４へ案内されるので、導入口２２ａから導入された遊技球Ｐをワープ入口２４へ確実に案内することができる。第１，第２通路２７，２８が屈曲状に接続されているため、遊技球Ｐの流動性が阻害されて、遊技球Ｐが第１，第２通路２７，２８を通過する通過時間が長くなるため、ワープ通路２０のワープ機能が向上し、遊技性が向上する。
【００４２】
導入口形成体２２が盤面４ａから前方へ突出していて、そこからワープ入口２４へ流れる状態を遊技者が視認できるため、遊技球Ｐがワープ通路２０へ入った実感を得ることができ、興趣が増し、遊技性が向上する。また、ワープ通路本体２３が光透過製の合成樹脂材料で透明に構成されているため、第１，第２通路２７，２８内を流れる遊技球Ｐが見えるため、興趣が増し、遊技性が向上する。
導入口形成体２２の前面部に合成樹脂製の意匠板２６（装飾板）を設けたので、その意匠板２６によって意匠性を高めることができ、盤面４ａを賑やかにすることができる。
【００４３】
前記実施例を部分的に変更する例について説明する。
１〕実施例では、第１，第２通路２７，２８を光透過性の合成樹脂材料で形成したが、有色の半透過性の合成樹脂材料で構成してもよい。
２〕意匠板２６に表示した「ワープッ」の文字を意匠板２６の前面から所定高さで盛り上がる立体文字で構成してもよい。また、「ワープッ」の文字は一例であり、種々の文字列や記号、図柄等を表示してもよい。
【００４４】
３〕前記ワープ通路本体２３の構成は一例であり、透明又は不透明の合成樹脂製のパイプ体を屈曲させてワープ通路本体を構成してもよい。
４〕前記実施例では、第１種パチンコ機に分類されるパチンコ遊技機１に本発明を適用したが、羽根モノと呼ばれる第２パチンコ機に分類されるパチンコ遊技機に本発明を適用してもよい。
【００４５】
５〕その他、当業者であれば、本発明の趣旨を逸脱することなく、前記実施例に種々の変更を付加した形態が実施可能であり、本発明はそれら変更形態を包含するものである。
【図面の簡単な説明】
【００４６】
【図１】本発明の実施例のパチンコ遊技機の正面図である。
【図２】遊技盤の正面図である。
【図３】遊技盤要部とワープ通路の斜視図である。
【図４】導入口形成体の斜視図である。
【図５】導入口形成体の正面図である。
【符号の説明】
【００４７】
Ｐ      遊技球
１      パチンコ遊技機
４      遊技盤
４ａ    盤面
１１    始動入賞口装置
１７    センタ役物
２０    ワープ通路
２１    ステージ
２２    導入口形成体
２２ａ  導入口
２３    ワープ通路本体
２４    ワープ入口
２５    球受け案内面
２６    意匠板
２７    第１通路
２８    第２通路
２９    板状部材
【図１】
2010082072.tif 000003
【図２】
2010082072.tif 000004
【図３】
2010082072.tif 000005
【図４】
2010082072.tif 000006
【図５】
2010082072.tif 000007